(57)【要約】【課題】各チャネルを流れる電流に対して１次側で電流制限が実施され得るコンバータを提供する。【解決手段】複数のチャネルを有するコンバータ１は、１次巻線３および少なくとも１つの２次巻線４を有する変圧器２を備える。１次巻線に接続された第１のスイッチ手段Ｔ０は、入力信号Ｖｅを形成するように、第１の周期的方形波信号Ｖｃ１に従って実質上直流電圧をチョッピングする働きをし、入力信号は、正のシーケンス相およびフリーホイール相を呈する。チャネルのうち１つのチャネルの入力における第２のスイッチ手段Ｔ１、Ｔ２は、第２の周期的方形波信号Ｖｃ２に従ってチャネルに対応する２次巻線で出力信号Ｖ１をチョッピングする働きをする。コンバータは、１次電流ｉｐを測定するための１次巻線に接続される測定手段Ｒｓも備える。測定値は、入力信号の正のシーケンス相中の別個の時間に測定される。【選択図】図２
2006288192.tif 000002
【特許請求の範囲】
【請求項１】
複数のチャネルを有するコンバータ（１）であって、
１次巻線（３）および少なくとも１つの２次巻線（４）を備える変圧器（２）と、
１次巻線に接続された第１のスイッチ手段（Ｔ０）とを備え、該第１のスイッチ手段（Ｔ０）は、入力信号（Ｖｅ）を形成するように、第１の周期的方形波信号（Ｖｃ１）に従って実質上直流電圧をチョッピングする働きをし、入力信号が正のシーケンス相およびフリーホイール相を呈し、
前記コンバータ（１）がさらに、
複数チャネルのうち１つのチャネルの入力における第２のスイッチ手段（Ｔ１、Ｔ２）を備え、該第２のスイッチ手段（Ｔ１、Ｔ２）は、第２の周期的方形波信号（Ｖｃ２）に従って前記チャネルに対応する２次巻線で出力信号（Ｖ１）をチョッピングする働きをし、
前記コンバータ（１）がさらに、
１次巻線に接続され、１次電流（ｉｐ）を測定するための測定手段（Ｒｓ）を備え、
さらに、１次電流に対応する複数の測定値を記憶するための記憶手段（１２、１５）を備え、複数の測定値が、入力信号の正のシーケンス相中の別個の時間に測定され、
前記コンバータ（１）がさらに、測定値を処理するためのプロセッサ手段（１０）を備えることを特徴とするコンバータ（１）。
【請求項２】
プロセッサ手段（１０）が、スイッチ手段を制御するための制御手段に接続され、スイッチ手段が、第１のスイッチ手段（Ｔ０）と第２のスイッチ手段（Ｔ１、Ｔ２）から選択される、請求項１に記載のコンバータ（１）。
【請求項３】
ちょうど２つのチャネルを有する、請求項１または２に記載のコンバータ（１）。
【請求項４】
第１の周期的方形波信号（Ｖｃ１）の時間コピーを使用し、かつ前記時間コピーの立ち上がりに遅れを与えることによって、第２の周期的方形波信号（Ｖｃ２）が得られる、請求項３に記載のコンバータ（１）。
【請求項５】
第１の周期的方形波信号（Ｖｃ１）のパルスの立ち上がりを検出する手段と、
第１の周期的方形波信号の各パルス期間中の１次電流（ｉｐ）の最大値を検出する手段とを備え、
記憶手段が、
第１の周期的方形波信号におけるパルスの起端で、１次電流値に対応する第１の値（Ｖｍ１）を記憶するための第１の記憶手段（１２）と、
１次電流の最大値に対応する最大値（Ｖｍ２）を記憶するための第２の記憶手段（１５）とを備える、請求項４に記載のコンバータ（１）。
【請求項６】
第２のスイッチ手段（Ｔ１、Ｔ２）が、制御デバイス（１１）によって制御されるトランジスタを備える、請求項１から５のいずれかに記載のコンバータ（１）。
【請求項７】
第２のスイッチ手段が、磁気増幅器を備える、請求項４または５に記載のコンバータ（１）。
【請求項８】
ただ１つの２次巻線（４）を有する、請求項１から７のいずれかに記載のコンバータ（１）。
【請求項９】
コンバータの各チャネルにつきただ１つの２次巻線を有する、請求項１から８のいずれかに記載のコンバータ（１）。
【発明の詳細な説明】
【技術分野】
【０００１】
本発明は、複数のチャネルを有するコンバータの分野に関し、このコンバータは、カスケードチョッピングを利用し、また電流制限されるものである。
【背景技術】
【０００２】
複数のチャネルを有するコンバータ  複数のチャネルを有するコンバータは、１次巻線および少なくとも１つの２次巻線を有する変圧器を備える。変圧器は、複数の２次巻線を備えてよく、個々の２次巻線は、１つまたは複数のチャネルに対応している。変圧器は、コンバータの全チャネルに対応する１つだけの２次巻線を有してもよい。
【０００３】
図１は、複数のチャネルを有する従来技術のコンバータ回路の一例の概略図である。
【０００４】
１次巻線３、主２次巻線４、および補助２次巻線５を有する変圧器２に加えて、コンバータは、第１のスイッチ手段も含む。第１のスイッチ手段は、１次巻線３に接続されたスイッチＴ０（例えばトランジスタ）を備えてよい。
【０００５】
スイッチＴ０は、第１の周期的方形波信号Ｖｃ１に従って、実質上連続な電圧または直流（ＤＣ）電圧（図示せず）をチョッピングし、入力信号Ｖｅを形成する働きをする。スイッチＴ０は、１次側制御デバイスによってパルス幅変調（ＰＷＭ）を使用して制御され、第１の周期的方形波信号Ｖｃ１のパルス幅を制御する。
【０００６】
コンバータ１は、例えば能動クランプ、共振リセットを利用するもの、または実際に消磁巻線によって構成されるもの、といった消磁手段（図示せず）も備える。入力信号Ｖｅの１周期にわたる平均は、実質上ゼロである。入力信号Ｖｅは、第１の周期的方形波信号Ｖｃ１が実質上ゼロである時間に対応するフリーホイール相、および実質上第１の周期的方形波信号Ｖｃ１のパルス期間中の正のシーケンス相を呈する。
【０００７】
主チャネル７の第１の出力信号Ｖ１の振幅は、入力信号Ｖｅの振幅に実質上比例する。整流器／平滑回路６は、第１の出力信号Ｖ１から主直流信号Ｖ１’を得る働きをする。主直流信号Ｖ１’の電圧値は、第１の周期的方形波信号Ｖｃ１のデューティーレシオに応じる。
【０００８】
カスケードチョッピングを行うコンバータ
コンバータは、カスケードチョッピングを行う。すなわち、コンバータは、第１のスイッチ手段に加えて、複数チャネルのうち１つのチャネルの入力に第２のスイッチ手段、この例では補助スイッチＴ１を含んでいる。したがって、補助チャネル８の第２の出力信号Ｖ２から補助直流信号Ｖ２’を得ることを可能にする装置は、第２の周期的方形波信号Ｖｃ２に従って、補助スイッチＴ１によって第２の出力信号Ｖ２をチョッピングすることができる点を除いて、整流器／平滑回路６と実質上同じである。第２の出力信号Ｖ２は、入力信号Ｖｅの振幅に実質上比例する振幅を有する。
【０００９】
一例として、第２の周期的方形波信号Ｖｃ２は、第１の周期的方形波信号Ｖｃ１のパルス幅より小さな幅のパルスを示し、第２の周期的方形波信号Ｖｃ２におけるパルスは、第１の周期的方形波信号Ｖｃ１におけるパルスと例えば同時に終了する。したがって、チョッピングされた信号Ｖ２ｒは、第２の周期的方形波信号Ｖｃ２のパルス期間中のみ０でない電圧値を示す。チョッピングされた信号Ｖ２ｒは、実質上周期的方形波信号の波形を示し、チョッピングされた信号におけるパルスの幅は、第１の周期的方形波信号Ｖｃ１におけるパルスの幅より小さい。
【００１０】
次いで、変調された信号Ｖ２ｒを整流しかつ平滑化することによって、補助直流信号Ｖ２’が得られる。したがって、この例では、補助直流信号Ｖ２’の値は、第２の周期的方形波信号Ｖｃ２の立ち上がりと第１の周期的方形波信号Ｖｃ１の立ち上がりとの間の遅れに応じる。
【００１１】
電流制限
コンバータは、構成部品を保護するために、電流制限用の回路（図示せず）を含んでよい。
【００１２】
電流制限は、しばしば２次側で行われる。すなわち、主チャネルの電流が、例えば「分流器」として知られる測定抵抗を使用することによって測定される。測定抵抗の端子間の電圧は、記憶され、処理され、光カプラを介して１次側制御デバイスへ送られる。１次側制御デバイスは、第１の周期的方形波信号Ｖｃ１におけるパルスのデューティーレシオ値を、主チャネル中で測定された電流値に応じて変更する。そのようなループは、主チャネル中の電流を比較的高精度で調整する働きをする。
【００１３】
同様に、補助チャネル中の電流が測定され、第２の周期的方形波信号Ｖｃ２のデューティーレシオ値が、測定された電流値に応じて調整または変更される。
【００１４】
電流制限も１次側で実施されてよい。１次電流として知られる、１次巻線を通過する電流が測定される。そのような電流制限器回路には測定抵抗が１つしかなく、したがって、２次側に作用する電流制限器回路より小型かつ廉価である。
【００１５】
１次電流の測定値は、複数のチャネルに関する全体的な情報を与える。第１の周期的方形波信号Ｖｃ１におけるパルスのデューティーレシオ値は、１次電流値に応じて調整される。
【００１６】
それにかかわらず、チャネルのうちの１つが、例えば開回路であると、そのチャネル中を流れる電流はゼロになるはずである。エネルギーが変圧器で変換され、特に、各チャネルに対するパワーが大きく異なるとき、残りのチャネル中の電流が比較的高い場合にしか、電流制限が行われないことがある。したがって、構成部品を保護する上で、電流制限が効果的でない可能性がある。
【発明の開示】
【発明が解決しようとする課題】
【００１７】
本発明によって、複数のチャネルを有するコンバータ回路中の１次側で電流制限が実施され得るようになり、各チャネル中を流れる電流をよりよく制御して電流制限を行うことが可能になる。
【課題を解決するための手段】
【００１８】
本発明のコンバータ
本発明は、複数のチャネルを有するコンバータを提供する。コンバータは、
１次巻線および少なくとも１つの２次巻線を備える変圧器と、
１次巻線に接続された第１のスイッチ手段とを備え、この第１のスイッチ手段は、入力信号を形成するように、第１の周期的方形波信号に従って実質上直流電圧をチョッピングする働きをし、入力信号が正のシーケンス相およびフリーホイール相を呈し、
コンバータがさらに、
複数チャネルのうち１つのチャネルの入力における第２のスイッチ手段を備え、この第２のスイッチ手段は、第２の周期的方形波信号に従って前記チャネルに対応する２次巻線で出力信号をチョッピングする働きをし、
コンバータがさらに、
１次巻線に接続され、１次電流を測定するための測定手段を備える。
【００１９】
本発明によれば、コンバータはさらに、
１次電流に対応する複数の測定値を記憶するための記憶手段を備え、複数の測定値が、入力信号の正のシーケンス相中の別個の時間に測定され、コンバータはさらに、
測定値を処理するためのプロセッサ手段をさらに備える。
【００２０】
第２のスイッチ手段が、正のシーケンス相中に１次電流の不連続性をもたらすこともあるので、１次電流は、時間とともに変動する。正のシーケンス相中の異なる時間に２度１次電流を測定し、かつ２つの測定値を記憶することによって、本発明のコンバータは、コンバータの複数のチャネルにより厳密に適合するやり方で電流を評価することができる。１次側を介して電流制限を行う従来技術のコンバータは、２次側電流の全体的な評価しか得られない。
【００２１】
具体的には、本発明のコンバータは、主チャネル、ｎ個の補助チャネル、各補助チャネル用の第２のスイッチ手段、およびｎ＋１個の測定値を測定する手段を備える場合、各チャネルの電流を評価することができる。ｎは１以上である。
【００２２】
こうした状況では、本発明のコンバータによって、複数チャネルのうちどれか１つの電流がゼロかどうか検知することも可能になる。
【００２３】
さらに、今や各チャネルの電流が評価されるので、第１の周期的方形波信号のデューティーレシオを変更することにより、また、第２のスイッチ手段のデューティーレシオを変更することによっても、補正が実施され得る。したがって、本発明のコンバータにより、応答が各チャネルに適合され得る。
【００２４】
それにもかかわらず、本発明は、ｎ＋１個のチャネル、ｎ個の第２のスイッチ手段、およびｎ＋１個の測定値を記憶する手段を有するコンバータに限定されるものではない。ｎは１以上である。例えば、３つのチャネル、チャネルの１つまたは２つのための第２のスイッチ手段、および２つの測定値だけを記憶する記憶手段を有するコンバータでも、２つの電流が評価され得る。２つの電流は、例えば、全体電流および１つのチャネルの電流である。
【００２５】
記憶手段は、コンバータが有するチャネル数より多くの測定値を記憶するために使用されてもよい。
【００２６】
用語「正のシーケンス相中の別個の時間」は、入力信号がそのとき正のシーケンス相中にあり、かつ第１の方形波制御信号の周期をモジュロとする測定時間が互いに異なるように、各測定時間が選択されることを意味する。１次電流の測定は、有利には入力信号の１つの正のシーケンス相中に行われるが、第１の測定が、入力信号の第１の正のシーケンス相中に行われ、第２の測定が、入力信号の第２の正のシーケンス相中に行われても、正の各シーケンス相に関して測定時間が異なるのであれば、不利なことは何もない。
【００２７】
測定値を処理する手段は、第１のスイッチ手段および第２のスイッチ手段から選択されたスイッチ手段を制御する手段に有利に接続される。
【００２８】
電流値は、このようにデューティーレシオを制御することによって調整される。有利には、プロセッサ手段によって、第１のスイッチ手段および第２のスイッチ手段が、できるだけよく適合された応答をもたらすように制御され得る。あるいは、一方だけまたは他方だけのスイッチ手段が、制御される。
【００２９】
本発明は、制御が実施されるやり方に限定されるものではない。プロセッサ手段は、例えば、電子回路の伝達関数を制御するために、電子回路の制御手段に接続されてよい。
【００３０】
本発明のコンバータ回路は、ちょうど２つのチャネルを有利に備える。
【００３１】
各チャネル中の電流を評価するには、１次電流の測定値が２つあれば十分なので、電流制限の実施は、このように比較的簡単である。
【００３２】
それにもかかわらず、コンバータは、２つより多くのチャネルを有してもよい。
【００３３】
例えば、コンバータは、３つのチャネルを有してもよく、各チャネルが、それぞれ各２次巻線に対応する。その際、コンバータは、第１の補助チャネルの入力における第２のスイッチ手段、および第２の補助チャネルの入力における第３のスイッチ手段を有することになる。第２のスイッチ手段は、第１の補助チャネルに対応する第２の２次巻線で出力信号をチョッピングし、それによって、第１のチョッピングされた信号を形成する働きをする。第１のチョッピングされた信号は、入力信号の正のシーケンス相の持続時間より幅の小さいパルスを呈する。第３のスイッチ手段は、同様に、第２の補助チャネルに対応する第３の２次巻線で出力信号をチョッピングし、それによって、第２のチョッピングされた信号を形成する働きをする。第２のチョッピングされた信号のパルス幅は、例えば、第１のチョッピングされた信号におけるパルスの幅より小さい。スイッチ手段は、例えば、出力信号の正のシーケンス相が、第１のチョッピングされた信号および第２のチョッピングされた信号におけるパルスと同時に終了するように制御されてよい。
【００３４】
そのようなコンバータでは、１次電流は、離散的な２つの段階で時間とともに変化し、個々の離散的な段階は、チョッピングされた両信号のうち１つの信号におけるパルスの起端に対応している。
【００３５】
一例として、そのようなコンバータは、対応する時間に１次電流を測定する目的で離散的な段階を識別するために、例えば微分器回路を含む不連続性検出器を含んでよい。このコンバータは、入力信号の正のシーケンス相当り３つの測定値を記憶する手段も備える。各チャネル中の電流は、記憶された測定値に基づいて評価される。その後、第１のスイッチ手段、第２のスイッチ手段、および第３のスイッチ手段が、それに応じて制御され得る。
【００３６】
したがって、本発明は、コンバータのチャネル数や、１パルス当り実施される測定の回数によって限定されるものではない。
【００３７】
第２の周期的方形波信号は、有利には、第１の周期的方形波信号の時間コピーを使用し、かつ前記時間コピーの立ち上がりに遅れを与えることによって得られる。
【００３８】
したがって、第２の周期的方形波信号は、第１の周期的方形波信号におけるパルスの幅より幅の小さいパルスを呈する。第１の周期的方形波信号のパルスと第２の周期的方形波信号のパルスは、同時に終了する。そのような第２の周期的方形波信号は、扱いが比較的簡単である。コンバータに補助チャネルが１つしかない場合は、１次電流は、１つの離散的な段階で比較的簡単に変化する。
【００３９】
それにもかかわらず、本発明は、第２の周期的方形波信号の特定の波形に限定されるものではない。
【００４０】
コンバータは、有利には、
第１の周期的方形波信号中のパルスの立ち上がりを検出する手段と、
第１の周期的方形波信号の各パルス期間中の１次電流の最大値を検出する手段とを含む。
【００４１】
記憶手段は、有利には、
第１の周期的方形波信号におけるパルスの起端の１次電流値に対応する第１の値を記憶するための第１の記憶手段と、
１次電流の最大値に対応する最大値を記憶するための第２の記憶手段とを備える。
【００４２】
１次電流の立ち上がりおよび最大値は、抵抗やコンデンサなどの単純な素子を使用して、比較的容易に検出することができる。
【００４３】
それにもかかわらず、本発明は、第１の周期的方形波信号におけるパルスの立ち上がりを検出する手段の存在や、１次電流の最大値を検出する手段の存在によって限定されるものではない。記憶手段は、第１の値および最大値以外の測定値に使用されてもよい。
【００４４】
第２のスイッチ手段は、制御デバイスによって制御されるトランジスタを備えてよい。
【００４５】
そのような素子は、スイッチとして一般に使用される。第２の周期的方形波信号によってトランジスタを制御することは簡単である。
【００４６】
あるいは、第２のスイッチ手段は、磁気増幅器を備えてよい。
【００４７】
そのような構成部品によって、第２のスイッチ手段のチャネルに対応する２次巻線からの出力信号の立ち上がりに遅れを与えることが可能になる。遅れ時間は、制御電圧によって制御可能である。磁気増幅器は、アモルファス材料をベースにしたものでよい。本発明は、第２のスイッチ手段の性質や、第１のスイッチ手段の性質によって限定されるものではない。一例として、第１のスイッチ手段は、トランジスタのようなスイッチを備えてよい。
【００４８】
コンバータは、有利には、１つだけの２次巻線を有してよい。
【００４９】
主チャネルと補助チャネルは、どちらもこの２次巻線に接続される。第２のスイッチ手段によって、補助チャネルが２次巻線から一時的に切り離され得る。
【００５０】
あるいは、コンバータは、複数の２次巻線を含んでよい。例えば、コンバータは、コンバータの各チャネルにつき２次巻線を１つ有してよい。
【００５１】
本発明は、単に本発明の好ましい一実施形態のみに対応する図を参照して、以下により詳細に説明される。
【００５２】
異なる図において同一または類似の要素または部分は、同じ参照符号によって示されていることに注意されたい。与えられた様々な値は、単なる指示のためのものにすぎない。
【発明を実施するための最良の形態】
【００５３】
コンバータ回路１は、１次巻線３および２次巻線４を有する変圧器２を備える。第１のスイッチ手段（具体的にはスイッチＴ０）は、図４のタイミング図に示されるような入力信号Ｖｅを形成するために、実質上に直流入力電流（図示せず）をチョッピングして、図３のタイミング図に示されるような第１の周期的方形波信号Ｖｃ１にする働きをする。
【００５４】
入力信号Ｖｅは、第１の周期的方形波信号Ｖｃ１におけるパルスがオンの期間中は正のシーケンス相を呈し、第１の周期的方形波信号Ｖｃ１が実質上ゼロのときフリーホイール相を呈する。
【００５５】
図５のタイミング図に示されるように、変圧器２は、入力信号Ｖｅを２次巻線の出力信号Ｖ１に変換する働きをする。変圧器からの２次巻線の出力信号Ｖ１の電圧振幅は、入力信号Ｖｅの電圧振幅に実質上比例する。この例では、１次巻線の巻数Ｎｐは、２次巻線の巻数Ｎｓの２倍であり、特に正のシーケンス相では、入力信号Ｖｅの振幅が、２次巻線からの出力信号Ｖ１の振幅の２倍である。
【００５６】
整流器／平滑回路６は、２次巻線の出力信号Ｖ１から主直流信号Ｖ１’を得る働きをする。この例では、第１の周期的方形波信号Ｖｃ１のパルスの持続時間は、実質上半周期に等しく、入力信号Ｖｅは、正のシーケンス相中約１２ボルト（Ｖ）の振幅を有し、２次巻線の出力信号Ｖ１の振幅は、正のシーケンス相中約６Ｖであり、主直流信号Ｖ１’は、振幅約３Ｖである。
【００５７】
このコンバータは、カスケードにチョッピングを実施するコンバータである。すなわち、コンバータは、この場合、第２のスイッチＴ１である第２のスイッチ手段、およびＴ１と交互に動作する第３のスイッチＴ２を有し、これらが、第２の周期的方形波信号Ｖｃ２に従って２次巻線の出力信号Ｖ１をチョッピングする働きをする。
【００５８】
好ましい実施形態では、各スイッチはトランジスタを備える。
【００５９】
図６のタイミング図に示される第２の周期的方形波信号Ｖｃ２は、この例では、第１の周期的方形波信号Ｖｃ１の時間コピーを使用し、かつコピーの立ち上がりに６分の１周期の遅れを与えることによって得られる。第２のスイッチＴ１および第３のスイッチＴ２を制御するための制御デバイス１１は、第１の周期的方形波信号Ｖｃ１のパルス幅を制御する１次側のＰＷＭ制御デバイスにこのように接続される。
【００６０】
第２の周期的方形波信号Ｖｃ２がゼロのとき、第２のスイッチＴ１は開であり、また、第３のスイッチＴ２は閉であり、図７のタイミング図に示されるように、チョッピングされた信号Ｖ２ｒはそのときゼロである。第２の周期的方形波信号Ｖｃ２のパルス期間中は、チョッピングされた信号Ｖ２ｒが、２次巻線の出力信号Ｖ１と実質上同じ振幅を有するように、第２のスイッチＴ１は閉であり、また、第３のスイッチＴ２は開である。
【００６１】
チョッピングされた信号Ｖ２ｒは、このように２次巻線の出力信号Ｖ１の正のシーケンス相より短い持続時間を有するパルスを呈する。平滑化した後、補助直流信号Ｖ２’は、主直流信号Ｖ１’より小さい大きさを有し、この場合は、大きさが約２Ｖである。
【００６２】
１次巻線３の中を流れる１次電流ｉｐは、測定抵抗Ｒｓの両端子間で測定された測定電圧Ｖｍによって測定され得る。図８のタイミング図に示される測定電圧Ｖｍは、スイッチＴ０、Ｔ１、およびＴ２の状態に応じて異なるように、時間とともに変化する。
【００６３】
第１のスイッチＴ０が開であるとき、測定電圧Ｖｍはゼロである。
【００６４】
第１のスイッチＴ０が閉であり、第２のスイッチＴ１が開であるとき、１次電流ｉｐは、以下のタイプの式を近似的に満たす。
【数１】
2006288192.tif 000003
上式で、
ｉ０１は、主チャネル中の電流を示し、
ｔは、対象とする正のシーケンス相の起端でゼロにとられた時間を示し、
Ｌｐは、１次巻線３の誘導を示し、
Ｌｓ１は、主チャネル中の整流器／平滑回路６の誘導を示す。
【００６５】
第１のスイッチＴ０がまだ閉じられたままで、第２のスイッチＴ１が閉じられたとき、１次電流ｉｐは、以下のタイプの式を近似的に満たす。
【数２】
2006288192.tif 000004
上式で、
ｉ０２は、補助チャネル中の電流を示し、
Ｌｓ２は、補助チャネル中の平滑回路の誘導を示す。
【００６６】
第１の周期的方形波信号Ｖｃ１のパルスの起端で１次電流ｉｐの第１の測定を行い、かつパルスの終端で１次電流ｉｐの第２の測定を行うことによって、主チャネル中を流れる電流、ならびに、主チャネルおよび２次チャネル中を流れる電流の和の両方を推定することが可能である。この例では、差動増幅器１０によって構成されたプロセッサ手段によって、補助チャネル中を流れる電流が推定され得る。
【００６７】
プロセッサ手段は、主制御信号Ｖｓ１および補助制御信号Ｖｓ２によって、それぞれＰＷＭ１次側制御デバイスおよび制御デバイス１１に接続される。
【００６８】
この例では、１次電流ｉｐの測定は、パルスの起端およびパルスの終端で行われる。コンバータ１は、第１の周期信号のパルスの立ち上がりを検出して、１次電流中のパルスの起端を識別する手段を有する。
【００６９】
第１の周期的方形波信号のパルスの立ち上がりを検出する手段は、この例では、直列接続された検出器抵抗Ｒｄおよび検出器コンデンサＣｄによって構成される。検出器抵抗Ｒｄの端子間の検出電圧Ｖｄｆは、第１の周期信号Ｖｃ１の各立ち上がりで最大値を通過する。検出電圧Ｖｄｆは、測定抵抗Ｒｓと第１の記憶手段１２の間に置かれた第１のトランジスタ１３の状態を制御する。第１の記憶手段１２は、この例では、並列接続された第１の記憶抵抗Ｒｍ１および第１の記憶コンデンサＣｍ１を備える。第１の周期的方形波信号における各パルスにおいて、検出電圧Ｖｄｆが最大であるとき、すなわち第１の周期的方形波信号Ｖｃ１におけるパルスの起端で、記憶コンデンサＣｍ１の端子間電圧は、測定電圧Ｖｍと実質上同じ値になる。第１の記憶手段１２は、このように、第１の周期的方形波信号Ｖｃ１におけるパルスの起端で、１次電流値に対応する第１の電圧値Ｖｍ１を記憶する働きをする。
【００７０】
第１の周期的方形波信号Ｖｃ１における各パルスの終端を検出するために、第２のトランジスタ１４は、第１の周期信号Ｖｃ１によって直接制御される。第２のトランジスタ１４は、測定抵抗Ｒｓに第２の記憶手段１５を接続する。第２の記憶手段１５は、並列接続された第２の記憶抵抗Ｒｍ２および第２の記憶コンデンサＣｍ２を備える。第１の周期的方形波信号Ｖｃ１においてパルスが続く限り、すなわち、記憶手段１５が、測定電圧Ｖｍの最大値Ｖｍ２を記憶する各期間に、第２のトランジスタ１４は導通する。１次電流ｉｐの最大値は、第１の周期的方形波信号Ｖｃ１の各パルスに対して、このように検出されかつ記憶される。この実施形態では、１次電流ｉｐがパルスの終端で最大になり、したがって、パルスの終端で１次電流ｉｐの測定がなされる。
【００７１】
このように記憶された第１の値Ｖｍ１および第２の値Ｖｍ２は、各チャネル内を流れる電流を評価するために、後に適切な制御が適用され得るように処理される。
【図面の簡単な説明】
【００７２】
【図１】複数のチャネルを有し、カスケードチョッピングを実施する従来技術のコンバータ回路の概略図である。
【図２】複数のチャネルを有し、カスケードチョッピングおよび電流制限を実施するコンバータ回路であって、本発明の好ましい実施形態を構成するコンバータ回路の一例の概略図である。
【図３】本発明の好ましい実施形態における第１の周期的方形波信号のタイミング図である。
【図４】本発明の好ましい実施形態における入力信号のタイミング図の一例を示す図である。
【図５】本発明の好ましい実施形態における２次巻線からの出力信号のタイミング図の一例を示す図である。
【図６】本発明の好ましい実施形態における第２の周期的方形波信号のタイミング図の一例を示す図である。
【図７】本発明の好ましい実施形態における第２のスイッチ手段によってチョッピングされた信号のタイミング図の一例を示す図である。
【図８】本発明の好ましい実施形態における１次電流に比例した信号のタイミング図の一例を示す図である。
【符号の説明】
【００７３】
１  コンバータ
２  変圧器
３  １次巻線
４  ２次巻線
１０  プロセッサ手段
１１  制御デバイス
１２、１５  記憶手段
Ｒｓ  測定手段
Ｔ０、Ｔ１、Ｔ２  スイッチ手段
【図１】
2006288192.tif 000005
【図２】
2006288192.tif 000006
【図３】
2006288192.tif 000007
【図４】
2006288192.tif 000008
【図５】
2006288192.tif 000009
【図６】
2006288192.tif 000010
【図７】
2006288192.tif 000011
【図８】
2006288192.tif 000012
【外国語明細書】
2006288192.tif 000013
2006288192.tif 000014
2006288192.tif 000015
2006288192.tif 000016
2006288192.tif 000017
2006288192.tif 000018
2006288192.tif 000019
2006288192.tif 000020
2006288192.tif 000021
2006288192.tif 000022
2006288192.tif 000023
2006288192.tif 000024
2006288192.tif 000025
2006288192.tif 000026
2006288192.tif 000027
2006288192.tif 000028
2006288192.tif 000029
2006288192.tif 000030
2006288192.tif 000031
2006288192.tif 000032
2006288192.tif 000033
2006288192.tif 000034